(57)【要約】【課題】少ないユーザ操作で電子番組ガイドの中から所望の番組を選択できる番組情報表示装置を提供する。【解決手段】映像信号及び音声信号に重畳された番組情報をメモリ３１に格納し、リモートコントローラ１１によって選局中の電子番組ガイドの要求を受けたとき、そのチャンネルの番組情報から構築する電子番組ガイド内に、リモートコントローラ１１に設けられたチャンネルボタンの番号に対応する数字を番組毎に配列して、ＴＶモニタ２９上に表示するＣＰＵ３０を備えた。【選択図】　　　　図１
2004088682.tif 000002
【特許請求の範囲】
【請求項１】
放送波若しくは有線から各チャンネルの番組情報を電子的に入手し、特定されたチャンネルの番組情報から電子番組ガイドを構築してＴＶモニタ上に表示する番組情報表示装置であって、
電子番組ガイドを構築する際、当該電子番組ガイド内に番組を選択するための識別部を添付する識別設定手段を備え、
前記識別部は、リモートコントローラに設けられた操作ボタンに対応していることを特徴とする番組情報表示装置。
【請求項２】
前記識別設定手段は、リモートコントローラに設けられた予約ボタンが操作されたとき、電子番組ガイド内に予約番組を選択するための識別部を添付することを特徴とする請求項１記載の番組情報表示装置。
【請求項３】
リモートコントローラに設けられたカーソルボタンが操作されたとき、ＴＶモニタ上の電子番組ガイドをページ毎に表示するページ切替手段を有することを特徴とする請求項１又は２記載の番組情報表示装置。
【請求項４】
前記識別部として、リモートコントローラに設けられたチャンネルボタンの番号が使用されていることを特徴とする請求項１〜３の何れかに記載の番組情報表示装置。
【請求項５】
前記識別部として、前記チャンネルボタン以外の操作ボタンに付与された符号が使用されていることを特徴とする請求項１〜３の何れかに記載の番組情報表示装置。
【発明の詳細な説明】
【０００１】
【発明の属する技術分野】
本発明は、例えばＢＳ、ＣＳ等のデジタル放送により送信される放送番組に重畳される番組情報をＴＶモニタ上に表示する番組情報表示装置に関するものである。
【０００２】
【従来の技術】
図９は例えば特開２０００−３５４２１０　号公報に開示された従来の電子番組ガイドの画面を示す図であり、図において、１はＴＶモニタ上に表示された電子番組ガイド画面、２は電子番組ガイドで、例えば現在選局中の１２０ｃｈの番組名と放送日時が放送時間順に表示されている。３は選択番組を指定するためのカーソルであり、４は番組スクロール指示である。
【０００３】
図１０は従来のリモートコントローラの操作面の概略を示す平面図であり、図において、１１はリモートコントローラ（以下、単に「リモコン」という）、１２はチャンネルボタン、１３は電子番組ガイド画面１を表示させるための番組表ボタン、１４はカーソルボタン、１５は決定ボタンである。
【０００４】
次に動作について説明する。リモコン１１の番組表ボタン１３を押すと、図９に示すように、ＴＶモニタ上に現在選局中のチャンネル（１２０ｃｈ）の電子番組ガイド画面１が表示される。ここで、この画面１上に表示されている番組スクロール指示４に従って、リモコン１１のカーソルボタン１４によりカーソル３を「ＴＶショッピング」の段まで移動させ、さらに、その操作を続けた場合は、放送時間毎の番組情報が１段ずつ下方にシフトすると共に、この画面１上に表示されていない新たな番組情報が順に表示され、また逆に、カーソル３を「スポーツダイジェスト」の段まで移動させ、さらに、その操作を続けた場合は、放送時間毎の番組情報が１段ずつ上方にシフトすると共に、この画面１上に表示されていない新たな番組情報が順に表示される。そして、カーソルボタン１４によって何れかの番組を指定した後に決定ボタン１５を押したときは、その番組の放送がＴＶモニタ上に表示される。
【０００５】
【発明が解決しようとする課題】
前述した従来の番組特定方式では、電子番組ガイド２の中で現在選択している番組から遠い位置にある番組を選択（特定）する場合、カーソルボタン１４を頻繁に押さなければならず、ユーザの操作が煩雑になっていた。
【０００６】
本発明は、かかる課題を解決するためになされたもので、少ないユーザ操作で電子番組ガイドの中から所望の番組を選択できる番組情報表示装置を提供することを目的とする。
【０００７】
【課題を解決するための手段】
本発明の請求項１に係る番組情報表示装置は、放送波若しくは有線から各チャンネルの番組情報を電子的に入手し、特定されたチャンネルの番組情報から電子番組ガイドを構築してＴＶモニタ上に表示する番組情報表示装置であって、電子番組ガイドを構築する際、その電子番組ガイド内に番組を選択するための識別部を添付する識別設定手段を備え、識別部は、リモートコントローラに設けられた操作ボタンに対応している。
【０００８】
本発明の請求項２に係る番組情報表示装置は、請求項１において、識別設定手段は、リモートコントローラに設けられた予約ボタンが操作されたとき、電子番組ガイド内に予約番組を選択するための識別部を添付する。
【０００９】
本発明の請求項３に係る番組情報表示装置は、請求項１又は２において、リモートコントローラに設けられたカーソルボタンが操作されたとき、ＴＶモニタ上の電子番組ガイドをページ毎に表示するページ切替手段を備えたものである。
【００１０】
本発明の請求項４に係る番組情報表示装置は、請求項１〜３の何れかにおいて、識別部として、リモートコントローラに設けられたチャンネルボタンの番号が使用されている。
【００１１】
本発明の請求項５に係る番組情報表示装置は、請求項１〜３の何れかにおいて、識別部として、チャンネルボタン以外の操作ボタンに付与された符号が使用されている。
【００１２】
【発明の実施の形態】
実施の形態１．
図１は本発明の実施の形態１に係る番組情報表示装置を備えたデジタル放送受信機のブロック構成図、図２は実施の形態１における電子番組ガイドの画面を示す図、図３はリモートコントローラの操作面の概略を示す平面図である。なお、図９及び図１０で説明した従来例と同一又は相当部分には同じ符号を付し説明を省略する。
【００１３】
図において、２１はデジタル放送波を受信するアンテナ、２２はチューナで、アンテナ２１に受信されるデジタル放送波の中から視聴者により選局されたチャンネルのデジタル放送波を取り込んで復調する。２３はチューナにて復調されたデジタルテレビ信号に含まれる音声データと映像データ、並びにこれらに重畳された番組情報等のデータをそれぞれ分離するＤＥＭＵＸである。
【００１４】
２４はＤＥＭＵＸ２３により分離された音声データを復号処理する音声デコーダ、２５は音声デコーダ２４で復号された音声信号がＴＶモニタ２９で再生されるよう出力処理する音声出力処理部である。２６はＤＥＭＵＸ２３により分離された映像データを復号処理する映像デコーダ、２７は映像デコーダ２６で復号された映像信号がＴＶモニタ２９で再生されるよう出力処理する映像出力処理部である。２８は後述するＣＰＵによって構築された電子番組ガイド画面１が映像出力処理部２７の処理映像と合わさるよう制御するグラフィック制御部である。
【００１５】
３０は前記のＣＰＵで、ＤＥＭＵＸ２３により分離された番組情報等のデータをメモリ３１に格納し、リモコン１１の操作による番組表ボタン１３のオンを受光部３２を通じて検知したときは、選局中のチャンネルに対する番組情報のデータをメモリ３１から読み込んで電子番組ガイド画面１を構築し、グラフィック制御部２８に出力する。また、リモコン１１のカーソルボタン１４が操作されたときは、図２に示す電子番組ガイド２がページ毎にＴＶモニタ２９上に表示されるようグラフィック制御部２８を通じて制御するようになっている。
【００１６】
ＣＰＵ３０によって構築された電子番組ガイド画面１には、図２に示すように電子番組ガイド２の番組名と放送日時との間に、チャンネルボタン１２の番号に対応する識別部の数字が番組名選択用の選択ボタン４１として付与されている。
【００１７】
次に、実施の形態１の動作を説明する。図４及び図５は実施の形態１の動作を示すフローチャートである。
例えばデジタル放送波受信中、ＣＰＵ３０は、リモコン１１が操作されたかどうかを判定しており（Ｓ１）、リモコン１１の操作による信号（遠赤外線信号）が受光部３２を介して入力されたときは、番組表ボタン１３が押されたかどうかを判定する（Ｓ２）。入力信号からその他のボタンと判断したときはその操作ボタンに応じて処理に入るが（Ｓ４）、番組表ボタン１３と判断したときは、現在選局されている１２０ｃｈに対する番組情報のデータをメモリ３１から読み込んで、図２に示す電子番組ガイド画面１を構築し、グラフィック制御部２８を介してＴＶモニタ２９上に表示する（Ｓ３）。
【００１８】
その後、ＣＰＵ３０は、リモコン１１が操作されたかどうかを判定し（Ｓ１１）、リモコン１１の操作を検知したときは、チャンネルボタン１２かどうか、カーソルボタン１４かどうかを判定する（Ｓ１２〜Ｓ１６）。▲１▼のチャンネルボタンを検知したときはその数字から「ＴＶショッピング」の番組名を選択し（Ｓ１７）、▲２▼のチャンネルボタンを検知したときは「ローカルニュース」の番組名を選択し（Ｓ１８）、また、▲９▼のチャンネルボタンを検知したときは「スポーツダイジェスト」の番組名を選択し（Ｓ１９）、デジタル放送における番組の選択を終了する。
【００１９】
さらに、「↓」のカーソルボタン１４の操作を検知したときは、次ページの電子番組ガイド２をグラフィック制御部２８を介してＴＶモニタ２９上に表示し（Ｓ２０）、「↑」のカーソルボタン１４の操作を検知したときは、前ページの電子番組ガイド２をＴＶモニタ２９上に表示する（Ｓ２１）。そして、Ｓ１１に戻って前述した動作を繰り返す。
【００２０】
なお、ＣＰＵ３０は、リモコン１のチャンネルボタン１２によって選択された番組を確認したとき、その番組の詳細情報をＴＶモニタ２９上に表示するようになっている。
【００２１】
以上のように実施の形態１によれば、電子番組ガイド画面１をＴＶモニタ２９上に表示する際、番組名毎にリモコン１１のチャンネルボタン１２の番号に対応する数字を表示して、そのチャンネルボタン１２から番組を選択できるようにすると共に、ＴＶモニタ２９上の電子番組ガイド２をページ毎に表示できるようにしたので、少ないユーザ操作で所望の番組を容易に選択できるという効果がある。
【００２２】
実施の形態２．
前述した実施の形態１では、リモコン１１のチャンネルボタン１２から番組を選択できるようにしたが、本実施の形態２は、リモコン１１に別途操作ボタンを設けて電子番組ガイドの中から所望の番組を選択できるようにしたものである。図６は実施の形態２における電子番組ガイドの画面を示す図、図７はリモートコントローラの操作面の概略を示す平面図である。なお、図１〜図３で説明した実施の形態１と同一又は相当部分には同じ符号を付し説明を省略する。
【００２３】
実施の形態２においては、リモコン１１の操作面にチャンネルボタン１２の他にデジタル放送受信中の番組を選択する選択ボタン５１が設けられている（図７参照）。この場合、リモコン１１の選択ボタン５１に対応する符号「Ｆ１」〜「Ｆ９」がデータとしてメモリ３１に格納されており、ＣＰＵ３０が、番組表ボタン１３の操作を検知したとき、選局中のチャンネルに対する電子番組ガイド画面１を構築する際、メモリ３１から前記のデータを読み込んで、図６に示すように電子番組ガイド２の番組名と放送日時との間に、リモコン１１の選択ボタン５１に対応する符号「Ｆ１」〜「Ｆ９」を番組名選択用の選択ボタン４１として添付するようになっている。
【００２４】
次に、実施の形態２の動作を説明する。例えば、１２０ｃｈの番組放送がＴＶモニタ上に表示されているときに、ＣＰＵ３０が、リモコン１１の番組表ボタン１３の操作を検知すると、１２０ｃｈに対する番組情報のデータと前記データとをメモリ３１から読み込んで電子番組ガイド画面１を構築し、グラフィック制御部２８を介してＴＶモニタ２９上に表示する（図６参照）。その後、リモコン１１の選択ボタン５１の操作を検知したときは、その操作に基づいて番組名を選択する。例えば、「Ｆ９」の選択ボタン５１を検知したときは、その符号が付されている番組名の「スポーツダイジェスト」を選択する。
【００２５】
なお、ＣＰＵ３０は、「↓」のカーソルボタン１４の操作を検知したとき、実施の形態１と同様に、次ページの電子番組ガイド２をＴＶモニタ２９上に表示し、「↑」のカーソルボタン１４の操作を検知したときは、前ページの電子番組ガイド２をＴＶモニタ２９上に表示する。
【００２６】
以上のように実施の形態２においては、電子番組ガイド画面１をＴＶモニタ２９上に表示する際、番組名毎にリモコン１１の選択ボタン５１の符号と同一の符号を表示して、リモコン１１から番組を選択できるようにしたので、少ないユーザ操作で所望の番組を容易に選択できるという効果がある。
【００２７】
実施の形態３．
本実施の形態３は、図８に示すように、番組表ボタン１３の他に電子番組ガイド２の中から所望の番組を予約する予約ボタン５２を設けたものである。この予約ボタン５２が押された場合、デジタル放送受信中のＣＰＵ３０は、番組表ボタン１３が押されたときと同様に例えば図２に示すように、選局中のチャンネルに対する番組情報のデータをメモリ３１から読み込んで電子番組ガイド画面１を構築し、グラフィック制御部２８を介してＴＶモニタ２９上に表示し、その後は、チャンネルボタン１２の操作番号に基づいて予約番組名を選択する。
【００２８】
このように、予約ボタン５２を押してＴＶモニタ２９上に電子番組ガイド画面１を表示したときに、番組名毎にリモコン１１のチャンネルボタン１２の番号に対応する数字を表示して、そのチャンネルボタン１２から番組を予約できるようにしたので、少ないユーザ操作で所望の番組を容易に予約できるという効果がある。
【００２９】
なお、実施の形態３では、前述したように予約ボタン５２を押してＴＶモニタ２９上に電子番組ガイド画面１を表示したとき、番組名毎にリモコン１１のチャンネルボタン１２の番号に対応する数字を表示して、そのチャンネルボタン１２から番組を予約できるようにしたが、実施の形態２のように電子番組ガイド画面１の番組名毎にリモコン１１の選択ボタン５１の符号と同一の符号を表示して、リモコン１１から番組を予約できるようにしてもよい。
【００３０】
前述した各実施の形態では、ＢＳ、ＣＳ等のデジタル放送における電子番組ガイドに対して容易に番組を選択できるようにしたが、ＣＡＴＶやインターネット等の有線上に配信されるデジタル放送の電子番組ガイドにも適用してもよい。
【００３１】
【発明の効果】
以上のように本発明によれば、特定されたチャンネルの番組情報から電子番組ガイドを構築する際、リモートコントローラに設けられた操作ボタンに対応する識別部をその電子番組ガイド内に添付して、ＴＶモニタ上に表示するようにしたので、少ないユーザ操作で所望の番組を容易に選択できるという効果がある。
【図面の簡単な説明】
【図１】本発明の実施の形態１に係る番組情報表示装置を備えたデジタル放送受信機のブロック構成図である。
【図２】実施の形態１における電子番組ガイドの画面を示す図である。
【図３】リモートコントローラの操作面の概略を示す平面図である。
【図４】実施の形態１の動作を示すフローチャートである。
【図５】図４に続くフローチャートである。
【図６】実施の形態２における電子番組ガイドの画面を示す図である。
【図７】リモートコントローラの操作面の概略を示す平面図である。
【図８】実施の形態２におけるリモートコントローラの操作面の概略を示す平面図である。
【図９】従来の電子番組ガイドの画面を示す図である。
【図１０】従来のリモートコントローラの操作面の概略を示す平面図である。
【符号の説明】
１　電子番組ガイド画面、２　電子番組ガイド、１１　リモコン、１２　チャンネルボタン、１３番組表ボタン、１４　カーソルボタン、１５　決定ボタン、２１　アンテナ、２２　チューナ、２３　ＤＥＭＵＸ、２４　音声デコーダ、２５　音声出力処理部、２６　映像デコーダ、２７　映像出力処理部、２８　グラフィック制御部、２９　ＴＶモニタ、３０　ＣＰＵ、３１　メモリ、３２　受光部、４１　選択ボタン、４２　番組スクロール指示、５１　選択ボタン、
５２　予約ボタン。
【図１】
2004088682.tif 000003
【図２】
2004088682.tif 000004
【図３】
2004088682.tif 000005
【図４】
2004088682.tif 000006
【図５】
2004088682.tif 000007
【図６】
2004088682.tif 000008
【図７】
2004088682.tif 000009
【図８】
2004088682.tif 000010
【図９】
2004088682.tif 000011
【図１０】
2004088682.tif 000012